(57)【要約】【課題】プレス加工で簡易に製造することができ、製造コストを低廉化できるとともに、経年変化せずに強度を大きく保持することができる手摺り用ブラケットを提供すること。【解決手段】壁面取付座２の両側からそれぞれ一体に延設されたアーム部３と、各アーム部３の先端からそれぞれ一体に延設された手摺り支持部１とを備えた金属板材４を形成し、各アーム部３を壁面取付座２との境でプレス加工により折曲するとともに、アーム部３同士を先端部で合わせて固定し、各手摺り支持部１をアーム部３との境でプレス加工により折曲するようにする。【選択図】図１
2008308904.tif 000002
【特許請求の範囲】
【請求項１】
手摺りを固定する手摺り支持部と、壁面に固定される壁面取付座と、手摺り支持部及び壁面取付座を接続するアーム部とを一体に有する手摺り用ブラケットにおいて、壁面取付座の両側からそれぞれ一体に延設されたアーム部と、各アーム部の先端からそれぞれ一体に延設された手摺り支持部とを備えた金属板材を形成し、各アーム部を壁面取付座との境でプレス加工により折曲するとともに、該アーム部同士を先端部で合わせて固定し、各手摺り支持部をアーム部との境でプレス加工により折曲したことを特徴とする手摺り用ブラケット。
【請求項２】
アーム部の基部を壁面取付座と略同幅に設けたことを特徴とする請求項１記載の手摺り用ブラケット。
【発明の詳細な説明】
【技術分野】
【０００１】
本発明は、手摺り用ブラケットに関し、特に、プレス加工で簡易に製造することができ、製造コストを低廉化することができる手摺り用ブラケットに関するものである。
【背景技術】
【０００２】
一般に、手摺り用ブラケットは、手摺りを固定する手摺り支持部と、壁面に固定される壁面取付座と、手摺り支持部及び壁面取付座を接続するアーム部とを有し、それぞれが一体に形成されている。
【０００３】
このような手摺り用ブラケットは、近年ではデザインの多種多様化が進んでいるが、従来の手摺り用ブラケットは亜鉛ダイカスト等で製造することが多く、製造コストを低廉化することが困難なだけでなく、経年変化により強度が低下し、大きな荷重をかけると折れやすい等の問題があった。
【発明の開示】
【発明が解決しようとする課題】
【０００４】
本発明は、上記従来の手摺り用ブラケットが有する問題点に鑑み、プレス加工で簡易に製造することができ、製造コストを低廉化できるとともに、経年変化せずに強度を大きく保持することができる手摺り用ブラケットを提供することを目的とする。
【課題を解決するための手段】
【０００５】
上記目的を達成するため、本発明の手摺り用ブラケットは、手摺りを固定する手摺り支持部と、壁面に固定される壁面取付座と、手摺り支持部及び壁面取付座を接続するアーム部とを一体に有する手摺り用ブラケットにおいて、壁面取付座の両側からそれぞれ一体に延設されたアーム部と、各アーム部の先端からそれぞれ一体に延設された手摺り支持部とを備えた金属板材を形成し、各アーム部を壁面取付座との境でプレス加工により折曲するとともに、該アーム部同士を先端部で合わせて固定し、各手摺り支持部をアーム部との境でプレス加工により折曲したことを特徴とする。
【０００６】
この場合において、アーム部の基部を壁面取付座と略同幅に設けることができる。
【発明の効果】
【０００７】
本発明の手摺り用ブラケットは、手摺りを固定する手摺り支持部と、壁面に固定される壁面取付座と、手摺り支持部及び壁面取付座を接続するアーム部とを一体に有する手摺り用ブラケットにおいて、壁面取付座の両側からそれぞれ一体に延設されたアーム部と、各アーム部の先端からそれぞれ一体に延設された手摺り支持部とを備えた金属板材を形成し、各アーム部を壁面取付座との境でプレス加工により折曲するとともに、該アーム部同士を先端部で合わせて固定し、各手摺り支持部をアーム部との境でプレス加工により折曲することから、プレス加工で簡易に製造することができ、製造コストを低廉化するとともに、経年変化せずに強度的にも優れ、特に、アーム部を壁面取付座から起こして略三角形状に合わせて固定する構造により、上下・前後・左右方向すべての荷重に対し強度を大きく保持することができる。
【０００８】
また、アーム部の基部を壁面取付座と略同幅に設けることにより、荷重が大きくかかるアーム部の基部を補強し、強度をより大きく保持して安全性を高めることができる。
【発明を実施するための最良の形態】
【０００９】
以下、本発明の手摺り用ブラケットの実施の形態を図面に基づいて説明する。
【実施例１】
【００１０】
図１〜図３に、本発明の手摺り用ブラケットの実施例を示す。
この手摺り用ブラケットは、 手摺りＡを固定する手摺り支持部１と、壁面に固定される壁面取付座２と、手摺り支持部１及び壁面取付座２を接続するアーム部３とを一体に有している。
そして、この手摺り用ブラケットは、壁面取付座２の両側からそれぞれ一体に延設されたアーム部３と、各アーム部３の先端からそれぞれ一体に延設された手摺り支持部１とを備えた金属板材４を形成し、各アーム部３を壁面取付座２との境でプレス加工により折曲するとともに、該アーム部３同士を先端部で合わせて固定し、各手摺り支持部１をアーム部３との境でプレス加工により折曲している。
【００１１】
手摺りＡは、例えば、木や金属の棒からなり、手摺り用ブラケットに支持固定されることにより、床や階段の壁に沿って配設される。
この場合、手摺りＡは、図１に示すように、下から手摺り支持部１で支持したり、また、図２に示すように、側方から手摺り支持部１で支持したりすることができる。
【００１２】
手摺り支持部１は、円弧板状のアーム部３の上部を折曲することにより略水平に形成されており、手摺りＡをねじ固定するためのねじ穴１１を備えている。
また、この手摺り支持部１は、丸棒状の手摺りＡを支持するために、上面に緩い曲面を付して形成されている。
なお、前記金属板材４をプレス加工して手摺り用ブラケットを製作する際には、最初にこの手摺り支持部１を曲げておき、次にアーム部３を曲げ起こして接合するのが効率的である。
この場合、アーム部３を曲げ起こす際に、曲げ戻しを考慮して一旦深く曲げる際には、アーム部３の先端同士が干渉しないように、アーム部３の基部３１より上の部分を予め逆側に曲げておき、アーム部３の基部３１を曲げ起こしてから、基部３１より上の部分を元のように曲げることもできる。
【００１３】
壁面取付座２は、壁面に固定するために略垂直に形成された四角形状の板からなり、壁面にねじ固定するためのねじ穴２１を備えている。
この壁面取付座２は、爪を切り起こしたカバー取付部２２を有し、図３に示すように、このカバー取付部２２にカバー５の突起５１を嵌合することにより、合成樹脂製のカバー５を壁面取付座２に固定し、ねじ穴２１の部分を被覆して化粧することができる。
【００１４】
アーム部３は、本実施例では、円弧状に形成された１対の長板からなり、各アーム部３は壁面取付座２を介して一体に形成されるとともに、各アーム部３の先端側には手摺り支持部１がそれぞれ一体に形成されている。
各アーム部３は、壁面取付座２との境でプレス加工により折曲されるとともに、該アーム部３同士は、その先端部で重ね合わせてスポット溶接により固定されている。
また、各アーム部３の基部３１は壁面取付座２と略同幅に設けられており、これにより、荷重が大きくかかるアーム部３の基部３１を補強している。
【００１５】
かくして、本実施例の手摺り用ブラケットは、手摺りＡを固定する手摺り支持部１と、壁面に固定される壁面取付座２と、手摺り支持部１及び壁面取付座２を接続するアーム部３とを一体に有する手摺り用ブラケットにおいて、壁面取付座２の両側からそれぞれ一体に延設されたアーム部３と、各アーム部３の先端からそれぞれ一体に延設された手摺り支持部１とを備えた金属板材４を形成し、各アーム部３を壁面取付座２との境でプレス加工により折曲するとともに、該アーム部３同士を先端部で合わせて固定し、各手摺り支持部１をアーム部３との境でプレス加工により折曲することから、プレス加工で簡易に製造することができ、製造コストを低廉化するとともに、経年変化せずに強度的にも優れ、特に、アーム部３を壁面取付座２から起こして略三角形状に合わせて固定する構造により、上下・前後・左右方向すべての荷重に対し強度を大きく保持することができる。
【００１６】
また、アーム部３の基部３１を壁面取付座２と略同幅に設けることにより、荷重が大きくかかるアーム部３の基部３１を補強し、強度をより大きく保持して安全性を高めることができる。
【００１７】
以上、本発明の手摺り用ブラケットについて、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明の手摺り用ブラケットは、プレス加工で簡易に製造することができ、製造コストを低廉化するとともに、経年変化せずに強度的にも優れ、特に、アーム部を壁面取付座から起こして略三角形状に合わせて固定する構造により、上下・前後・左右方向すべての荷重に対し強度を大きく保持するという特性を有していることから、手摺り用ブラケットの用途に広く好適に用いることができる。
【図面の簡単な説明】
【００１９】
【図１】本発明の手摺り用ブラケットの第１実施例を示し、（ａ）はその正面図、（ｂ）は同底面図、（ｃ）は同側面図、（ｄ）は手摺りを取り付けた側面図である。
【図２】本発明の手摺り用ブラケットの第２実施例を示し、（ａ）はその正面図、（ｂ）は同底面図、（ｃ）は同側面図、（ｄ）は手摺りを取り付けた側面図である。
【図３】手摺り用ブラケットとカバーを示し、（ａ）は第１実施例にカバーを装着した側面図、（ｂ）は第２実施例にカバーを装着した側面図、（ｃ）はカバーの正面図、（ｄ）は同底面図、（ｅ）は同側面図、（ｆ）は同断面側面図、（ｇ）は同底面図である。
【符号の説明】
【００２０】
１    手摺り支持部
１１  ねじ穴
２    壁面取付座
２１  ねじ穴
２２  カバー取付部
３    アーム部
３１  基部
４    金属板材
５    カバー
５１  突起
Ａ    手摺り
【図１】
2008308904.tif 000003
【図２】
2008308904.tif 000004
【図３】
2008308904.tif 000005